(57)【要約】      （修正有）【課題】ケーキ類包装箱に関し、特にケーキの出し入れが容易で、移送中にケーキ同士がぶつかったりせず、ケーキ類が倒れたり、崩れたりしないケーキ類包装箱を提供する。【解決手段】包装箱本体の内側底面部全体、側面部３，５の一部分、前面部４の一部分、背面部２の一部分に、それぞれ粘着剤３０を間隔をあけて塗布し、該粘着剤を覆うピール紙２３，３１を貼着し、必要に応じて該ピール紙を剥がして、内側底面部６にはケーキを載せた複数の個別トレーを仮粘着状態に載置し、ケーキ類の損傷を防ぐように構成し、又は必要に応じて該ピール紙を剥がして、保冷剤パッケージを仮粘着状態に貼りつけ、ケーキ類の品質低下を防ぐように構成した。【選択図】図２
0003165064.tif 000002
【実用新案登録請求の範囲】
【請求項１】
包装箱本体の内側底面部全体、側面部の一部分、前面部の一部分、背面部の一部分に、それぞれ粘着剤を間隔をあけて塗布し、該粘着剤を覆うピール紙を貼着し、必要に応じて該ピール紙を剥がして、内側底面部にはケーキを載せた複数の個別トレーを仮粘着状態に載置し、ケーキ類の損傷を防ぐように構成したことを特徴とするケーキ類包装箱。
【請求項２】
包装箱本体の内側側面部の一部分、前面部の一部分、背面部の一部分に、それぞれ粘着剤を間隔をあけて塗布し、該粘着剤を覆うピール紙を貼着し、必要に応じて該ピール紙を剥がして、保冷剤パッケージを仮粘着状態に貼りつけ、ケーキ類の品質低下を防ぐように構成したことを特徴とする請求項１記載のケーキ類包装箱。
【請求項３】
ケーキ類の取扱いのために必要に応じて包装箱本体が展開できるように構成したことを特徴とする請求項１記載のケーキ類包装箱。
【請求項４】
前面部に設けられた挿入片を側面部に設けられたスリットに挿入し、側面部に設けられた挿入片を背面部に設けられたスリットに挿入して包装箱本体が組立てられるように構成したことを特徴とする請求項１記載のケーキ類包装箱。
【請求項５】
前面部に設けられた挿入片を側面部に設けられたスリットから引きぬき、側面部に設けられた挿入片を背面部に設けられたスリットから引きぬき、包装箱本体を容易に展開可能に構成したことを特徴とする請求項１記載のケーキ類包装箱。
【考案の詳細な説明】
【技術分野】
【０００１】  本考案はケーキ類包装箱に関し、特にケーキの出し入れが容易で、移送中にケーキ同士がぶつかったりせず、ケーキ類が倒れたり、崩れたりしないケーキ類包装箱に関する。
【背景技術】
【０００２】  紙箱の上面や前面を開放できるように構成されているケーキ等の包装をする組立紙箱が種々考案されており、登録実用新案第３０００８５９号公報や登録実用新案第３０３７０８４号公報が発行されている。
【先行技術文献】
【０００３】
【特許文献１】  登録実用新案第３０００８５９号公報
【特許文献２】  登録実用新案第３０３７０８４号公報
【考案の概要】
【考案が解決しようとする課題】
【０００４】  引用文献１の登録実用新案第３０００８５９号公報では、上部のみを開放自在な紙箱からショートケーキを取出す際、紙箱の上面と一側面を開放できるようにし、ショートケーキを取出し易くするもので、側板の折り目に沿ってミシン目を設けて構成されている。【０００５】  また、引用文献２の登録実用新案第３０３７０８４号公報では、底面に連設した側壁の両端の折線にミシン目を設け、ミシン目を容易に切り離すことにより側壁を開放可能とするものであった。【０００６】  従って、ミシン目から側壁を手先で切り離す際に、ケーキ同士がぶつかったり、ケーキ類が倒れたり、崩れたりすることが生じてしまった。【０００７】  また、移送中においても、ケーキ同士がぶつかったり、ケーキ類が倒れたり、崩れたりすることが生じてしまった。【０００８】  このような弊害を防ぐために、従来は接着面を表にして丸めたテープをケーキの個別トレーに貼りつけ、更にそれを箱の底へ貼りつけて固定していたが、箱の周りの立ち上りが邪魔になり、貼りつける際に手がケーキに触れて商品価値を無くしてしまう等のミスが生じ、販売店員さんの手間がかかり、顧客は待たされるなどの弊害があった。
【課題を解決するための手段】
【０００９】  このような課題を解決するために鋭意研究の結果、本考案のケーキ類包装箱は、包装箱本体の内側底面部全体、側面部の一部分、前面部の一部分、背面部の一部分に、それぞれ粘着剤を間隔をあけて塗布し、該粘着剤を覆うピール紙を貼着し、必要に応じて該ピール紙を剥がして、内側底面部にはケーキを載せた複数の個別トレーを仮粘着状態に載置し、ケーキ類の損傷を防ぐように構成したことを特徴とし、包装箱本体の内側側面部の一部分、前面部の一部分、背面部の一部分に、それぞれ粘着剤を間隔をあけて塗布し、該粘着剤を覆うピール紙を貼着し、必要に応じて該ピール紙を剥がして、保冷剤パッケージを仮粘着状態に貼りつけ、ケーキ類の品質低下を防ぐように構成したことを特徴とし、ケーキ類の取扱いのために必要に応じて包装箱本体が展開できるように構成したことを特徴とし、前面部に設けられた挿入片を側面部に設けられたスリットに挿入し、側面部に設けられた挿入片を背面部に設けられたスリットに挿入して包装箱本体が組立てられるように構成したことを特徴とし、且つ、前面部に設けられた挿入片を側面部に設けられたスリットから引きぬき、側面部に設けられた挿入片を背面部に設けられたスリットから引きぬき、包装箱本体を容易に展開可能に構成したことを特徴とするケーキ類包装箱を提供するものである。
【考案の効果】
【００１０】  本考案によれば、ケーキや保冷剤が包装箱本体内で移動せず、互いにぶつかり合ったりケーキの形が崩れる等の弊害が無く、包装箱本体が容易に組み立て又は展開できるので、ケーキの出し入れが容易で、運搬中の振動等にも安全である。
【図面の簡単な説明】
【００１１】
【図１】  ケーキ類包装箱の使用状態を示す全体斜視図である。
【図２】  ケーキ類包装箱の展開平面図である。
【図３】  底面部の部分拡大断面図である。
【考案を実施するための形態】
【００１２】  以下、図面に基づいて、本考案を実施するための形態を具体的に説明する。
包装箱本体１０の内側の底面部６の全体、側面部３、５の一部分、前面部４の一部分、背面部２の一部分に、それぞれ粘着剤２０、６０、３０、４０、５０を間隔をあけて塗布した表面に、各粘着剤を覆うピール紙２３、３１、４１、５３、６１を貼着し、必要に応じて該ピール紙２３、３１、４１、５３、６１のいずれかを剥がして、内側底面部６にはケーキ９を載せた複数の個別トレー８を仮粘着状態に載置し、ケーキ類の損傷を防ぐように構成する。
【００１３】  また、包装箱本体１０の内側の側面部の一部分、前面部の一部分、背面部の一部分に、それぞれ粘着剤２０、３０、４０、５０を間隔をあけて塗布した表面に、該粘着剤を覆うピール紙２３、３１、４１、５３を貼着し、必要に応じて該ピール紙２３、３１、４１、５３を剥がして、保冷剤パッケージ７を仮粘着状態に貼りつけ、ケーキ類の品質低下を防ぐように構成されている。
【００１４】  ケーキ類の取扱いのために必要に応じて包装箱本体１０が図２に示すように容易に展開することができる。
【００１５】  前面部４に設けられた挿入片４２、４３を側面部３、５に設けられたスリット３２、５１に挿入し、側面部３、５に設けられた挿入片３３、５２を背面部２に設けられたスリット２１、２２に挿入して包装箱本体１０が組立てられる。
【００１６】  前面部４に設けられた挿入片４２、４３を側面部３，５に設けられたスリット３２、５１から引きぬき、側面部３、５に設けられた挿入片３３、５２を背面部２に設けられたスリット２１、２２から引きぬけば、包装箱本体１０を図２に示すように容易に展開することができる。
【００１７】  このように楽な操作で包装箱１０を組み立て又は展開ができるので、個別トレー８に載ったケーキ９の出し入れが容易であり、図１に示すように保冷剤パッケージ７を容易にセットすることができる。
【産業上の利用可能性】
【００１８】    また、本考案のケーキ類包装箱にケーキ９を載せた個別トレー８を一個載置した場合でも、個別トレー８が粘着剤６０によって仮止めされているので、ケーキ類が倒れたり、崩れたりすることがない。【００１９】  個別トレー８が複数の場合でも移送中にケーキ同士がぶつかったりせず、ケーキ類が倒れたり、崩れたりすることがない。【００２０】  ケーキ類の販売現場においても、顧客から注文を受けた店員が単数又は複数のケーキを包装箱本体１０にセットする場合でも、図２のように展開された包装箱本体１０の底面部６上のピール紙６１を剥がしてケーキ９の載った個別トレー８を載置すれば、個別トレー８は粘着剤６０によって仮粘着程度に軽く粘着され、ケーキ類が倒れたり、崩れたりすることがない。【００２１】  従って、本考案のケーキ類包装箱によれば、ケーキ類販売現場での定員の作業を安全にし、顧客の満足度も向上するので、販売現場でのケーキ類販売の向上にも寄与するものである。
【符号の説明】
【００２２】  １  蓋体
１０  包装箱本体
２  背面部
２０  粘着剤
２１  スリット
２２  スリット
２３  ピール紙
３  側面部
３０  粘着剤
３１  ピール紙
３２  スリット
３３  挿入片
４  前面部
４０  粘着剤
４１  ピール紙
４２  挿入片
４３  挿入片
５  側面部
５０  粘着剤
５１  スリット
５２  挿入片
５３  ピール紙
６  底面部
６０  粘着剤
６１  ピール紙
７  保冷剤パッケージ
８  個別トレー
９  ケーキ
【図１】
0003165064.tif 000003
【図２】
0003165064.tif 000004
【図３】
0003165064.tif 000005